(57)【要約】  プランジャ（７）がシリンジ（１）内のプラグ（４）に作用してニードル（５）を通じて液体を排出させる前に、Ｏリングがシリンジ・コンテナ（３）の拡大ヘッド（１６）に作用することによってシリンジ（１）は本体の前方に移動される。従って、プランジャの二段階の移動が存在する。すなわち、第一の移動においては、プランジャはＯリングの中間物を通じてシリンジと一緒に移動し、第二の移動においては、シリンジ・コンテナの棚部（１２）が停止部（１４）と係合してプランジャとＯリングとの間の摩擦力が解放するときにシリンジ・コンテナ内を移動してプラグを前方に付勢するために、プランジャはＯリングを通って前方に摺動する。【選択図】  図１
2007515996.tif 000002
【特許請求の範囲】
【請求項１】
ハウジング内に位置するシリンジの一端に在るニードルから一回分の投与量の液体を排出するための噴射装置において、前記ハウジングの一端に在る起動用付勢部材の解放時に前記シリンジは、前記ニードルがハウジングに収容される第一の位置から、前記ニードルが前記ハウジングの他端から突出する第二の位置までプランジャによって移動可能になっており、該プランジャは、前記シリンジのコンテナの他端内に位置決めされる自由端を有すると共に、前記シリンジ・コンテナの前記他端の拡大ヘッドに抗して載置される周囲の把持用可撓性Ｏリングを担持しており、それにより、前記起動用付勢部材の付勢作用下で前記プランジャの第一の移動は摩擦力を前記Ｏリングに伝達し、その結果、前記シリンジ・コンテナは前記第一の位置から前記第二の位置まで前記Ｏリングによって移動され、前記シリンジ・コンテナがさらに移動するのを停止することによって、前記プランジャと前記Ｏリングとの間における摩擦つかみが部分的に解放され、従って、第二の移動によって、前記プランジャを前記シリンジ・コンテナ内に移動させて、プラグに接触させると共に該プラグに作用して前記シリンジ内の液体を圧縮し、前記液体を前記シリンジの前記ニードルに通して排出するようにした、噴射装置。
【請求項２】
圧力維持用付勢部材が前記プランジャのヘッドと前記Ｏリングとの間に位置決めされており、前記プランジャの前記第二の移動のときに、前記圧力維持用付勢部材は前記シリンジ・コンテナの前記ヘッドへの圧力を前記Ｏリングによって維持することができる請求項１に記載の噴射装置。
【請求項３】
前記起動用付勢部材が解放されるまで前記シリンジ・ハウジングと前記シリンジ・コンテナの他端との間で作用して前記シリンジを前記ハウジング内で後退位置に保持する帰還用付勢部材を含む請求項１または２に記載の噴射装置。
【請求項４】
前記ハウジング内に設けられた一つまたは複数の前記付勢部材がコイルバネの形態をなしている請求項１から３のいずれか一項に記載の噴射装置。
【請求項５】
添付図面を参照して概ね説明されるような噴射装置。
【請求項６】
説明されるような噴射装置および／または添付図面に示されるような噴射装置の特徴のあらゆる新規な組み合わせ。
【発明の詳細な説明】
【技術分野】
【０００１】
ニードルを通じて一回分の投与量の液体が排出されるシリンジの起動前に、操作されることにより、シリンジのニードルを前方に移動させ、それにより、保護用ハウジングから突出させるようにした種々の携帯の自動噴射装置が存在する。
【背景技術】
【０００２】
液体充填物が加圧される前にシリンジを本体の前方に移動させてニードルを露出させ、それにより、実際の噴射作用が起こる前にニードルから液がしたたらないようにすることを確保するのが重要である。
【発明の開示】
【発明が解決しようとする課題】
【０００３】
本発明の目的は、この所望の方式を行うことのできる機構を提供することである。
【課題を解決するための手段】
【０００４】
本発明によれば、ハウジング内に位置するシリンジの一端に在るニードルから一回分の投与量の液体を排出するための噴射装置において、前記ハウジングの一端に在る起動用付勢部材の解放時に前記シリンジは、前記ニードルがハウジングに収容される第一の位置から、前記ニードルが前記ハウジングの他端から突出する第二の位置までプランジャによって移動可能になっており、該プランジャは、前記シリンジのコンテナの他端内に位置決めされる自由端を有すると共に、前記シリンジ・コンテナの前記他端の拡大ヘッドに抗して載置される周囲の把持用可撓性Ｏリングを担持しており、それにより、前記起動用付勢部材の付勢作用下で前記プランジャの第一の移動は摩擦力を前記Ｏリングに伝達し、その結果、前記シリンジ・コンテナは前記第一の位置から前記第二の位置まで前記Ｏリングによって移動され、前記シリンジ・コンテナがさらに移動するのを停止することによって、前記プランジャと前記Ｏリングとの間における摩擦つかみが部分的に解放され、従って、第二の移動によって、前記プランジャを前記シリンジ・コンテナ内に移動させて、プラグに接触させると共に該プラグに作用して前記シリンジ内の液体を圧縮し、前記液体を前記シリンジの前記ニードルに通して排出するようにした、噴射装置が提供される。
【０００５】
従って、この噴射装置によれば、プランジャがシリンジ内のプラグに作用してニードルを通じて液体を排出させる前に、Ｏリングがシリンジ・コンテナの拡大ヘッドに作用することによってシリンジは本体の前方に移動される。従って、プランジャの二段階の移動が存在する。すなわち、第一の移動においては、プランジャはＯリングの中間物を通じてシリンジと一緒に移動し、第二の移動においては、プランジャとＯリングとの間の摩擦力が解放するときにシリンジ・コンテナ内を移動してプラグを前方に付勢するために、プランジャはＯリングを通って前方に摺動する。
【０００６】
好ましい実施形態においては、機構を変更して、圧力維持用付勢部材を含むようにしてもよく、この圧力維持用付勢部材が前記プランジャのヘッドと前記Ｏリングとの間に位置決めされており、前記プランジャの前記第二の移動のときに、前記圧力維持用付勢部材は前記シリンジ・コンテナの前記ヘッドへの圧力を前記Ｏリングによって維持することができる。このことによって、プランジャの第二の移動段階のときに、プランジャがシリンジのヘッドに抗してＯリングをかなりの範囲にわたって押圧するように作用することが確保され、それにより、第二の移動段階のときに、シリンジ自体はハウジング内に後退するようにはならない。
【０００７】
好ましくは、前記起動用付勢部材が解放されるまで前記シリンジ・ハウジングと前記シリンジ・コンテナの他端との間で作用して前記シリンジを前記ハウジング内で後退位置に保持する帰還用付勢部材が存在する。この帰還用付勢部材は、起動用付勢部材が解放されるときまで、シリンジをハウジング内で後退位置に保持する。
【０００８】
前記ハウジング内に設けられた一つまたは複数の前記付勢部材がコイルバネの形態をなしていてもよい。
【発明を実施するための最良の形態】
【０００９】
本発明は種々の方式により実施され得る。本発明の好ましい実施形態は添付図面を参照して説明される。
【００１０】
図面に示される噴射装置は保護用ハウジング２内に配置されるシリンジ１を具備している。シリンジ１はコンテナ３を具備しており、このコンテナ３は、栓４により所定量に維持される投与量の液体を内包すると共に、ニードル５を有している。栓４を加圧することによって一回分の投与量の液体をニードル５に通して排出することができる。コンテナ３は拡大ヘッド６を有している。コイルバネ８によってプランジャ７は前方に付勢されるが、トリガ（図示しない）を起動してプランジャ７およびコイルバネ８を解放するときまでプランジャ７は施錠位置（図１）において後方位置に保持される。使用前においてはシリンジ１はコイルバネ９によって保護用ハウジング２内に保持されている。プランジャ７の自由端がＯリング１１（このＯリング１１はプランジャ７周囲に緊密な摩擦つかみを形成する）を通過して、シリンジ・コンテナ３の頂部に進入している。この状態においてはＯリング１１はシリンジ・コンテナ３のヘッド６に押し当たって載置している。
【００１１】
プランジャ７が解放されると、それにより、コイルバネ８はプランジャ７を前方に押込むようになる。プランジャ７とＯリング１１との間の摩擦力によってシリンジ・コンテナ３のヘッドが加圧され、シリンジ１を本体の前方に移動させ（従って、コイルバネ９を圧縮する）、それにより、シリンジ・コンテナ３に連結された部材１３上の棚部１２が保護用ハウジング２の停止部１４に当接する（図２）ときまで、ニードル５の先端が保護用ハウジング２の端部を越えて突出するようになる。この時点において、シリンジ１はもはや前方に移動できず、プランジャ７の端部１０は栓４からまだ隙間１５だけ離間している。しかしながら、プランジャ７は、バネ８の付勢作用下において、プランジャ７とＯリング１１との間の摩擦力を克服しつつ前方に移動し続ける。そして、プランジャ７はプランジャの端部１０をプラグ１２に接触させられて、（図３に示されるように）隙間１５が閉鎖された後では、（図４に示されるように）充填作用が完全に行われるまで前方に移動し続ける。
【００１２】
プランジャ７の次の段階の移動作用においては、プランジャ７とＯリング１１との間の摩擦力がまだ存在していて、この摩擦力によってシリンジ・コンテナ３がコイルバネ９の付勢作用に抗して前方に押圧され、ニードル５が露出した状態でシリンジが所望の位置に保持される。要求される場合には、機構を変更して、プランジャ７のヘッド１６とＯリング１１との間に付勢バネを組み入れるようにしてもよい。この付勢バネはＯリング１１をシリンジ・コンテナ３のヘッド６に堅固に接触させて、噴射処理の間にＯリング１１とシリンジ１とに作用する前方への圧力を維持する。この付勢バネは図３の実施例においてバネ１７として示されている。
【図面の簡単な説明】
【００１３】
【図１】使用前における本発明の噴射装置を通る断面図である。
【図２】噴射装置の動作時の段階を順次示す同様な図である。
【図３】噴射装置の動作時の段階を順次示す同様な図である。
【図４】噴射装置の動作時の段階を順次示す同様な図である。
【図１】
2007515996.tif 000003
【図２】
2007515996.tif 000004
【図３】
2007515996.tif 000005
【図４】
2007515996.tif 000006
【国際調査報告】
2007515996.tif 000007
2007515996.tif 000008
2007515996.tif 000009
2007515996.tif 000010